(57)【要約】【課題】ＧＰＳ等の専用の現在地検出手段を不要とし、放送の視聴を継続する選局にかかる処理時間の短縮をはかるともに、２系統の受信装置で別々の番組を視聴するシステムにも適用可能とする。【解決手段】制御部２１（制御手段）は、受信再生部Ａ（第１の受信手段）で視聴している放送の受信状態がサービスエリアを移動することにより悪化した場合に、受信再生部Ｂ（第２の受信手段）の受信状態が良好であれば、受信再生部Ｂ（第２の受信手段）で視聴中の放送局の情報から現在地に関する情報を抽出し、この情報と記憶手段（記憶部２２）に予め保持している放送局の情報から、現在地で受信可能な第１の受信手段の物理チャンネルを決定して系列局サーチを行う。【選択図】図１
2010154447.tif 000002
【特許請求の範囲】
【請求項１】
それぞれが独立してデジタル放送を受信して復調し、トランスポートストリームを出力する第１の受信手段、および第２の受信手段と、
放送データが予め保持されている記憶手段と、
前記第１の受信手段で受信しているデジタル放送の受信状態が悪化した場合、前記第２の受信手段で受信しているデジタル放送の受信状態が良好であれば、前記第２の受信手段が出力する前記トランスポートストリームの情報から現在地に関する情報を抽出し、前記抽出された現在地に関する情報に基づき前記記憶手段を参照して、前記第１の受信手段で受信可能な同じ系列局のトランスポートストリームの物理チャンネル情報を取得し、前記取得した物理チャンネル情報から系列局サーチを行う制御手段と、
を備えたことを特徴とするデジタル放送受信装置。
【請求項２】
前記放送データは、放送局の県域単位での放送対象エリアの情報を含み、
前記制御手段は、
前記第１の受信手段で系列局サーチが行われた場合、前記第２の受信手段が出力するトランスポートストリームの地域情報から現在地における県域を推定し、前記記憶手段を参照して前記第１の受信手段で受信可能な同じ系列局のトランスポートストリームで前記推定された県域を対象地域とするトランスポートストリームを選択し、対応する物理チャンネルから選局切り替えを行うことを特徴とする請求項１記載のデジタル放送受信装置。
【請求項３】
前記放送データは、送信所毎に前記トランスポートストリームの物理チャンネル情報を含み、
前記制御手段は、
前記第１の受信手段で系列局サーチが行われた場合、前記第２の受信手段が出力するトランスポートストリームの物理チャンネル情報から受信している送信所を推定し、前記記憶手段を参照して前記第１の受信手段で受信可能な同じ系列局のトランスポートストリームで前記推定された送信所の物理チャンネルから選局切り替えを行うことを特徴とする請求項１または請求項２記載のデジタル放送受信装置。
【請求項４】
前記制御手段は、
前記第１の受信手段の同じ系列局のトランスポートストリームの物理チャンネルが見つからなかった場合、前記系列局サーチ済みの同じ系列のトランスポートストリームを除く任意のトランスポートストリームのうち、前記第２の受信手段が出力するトランスポートストリームと同じ系列のトランスポートストリームの物理チャンネルから選局切り替えを行うことを特徴とする請求項１から請求項３のうちのいずれか１項記載のデジタル放送受信装置。
【請求項５】
前記制御手段は、
前記第１の受信手段の受信状態が許容値以下になった場合、もしくはユーザ操作により同じ系列局のサーチが指示された場合に前記選局切り替えを行うことを特徴とする請求項１から請求項４のうちのいずれか１項記載のデジタル放送受信装置。
【発明の詳細な説明】
【技術分野】
【０００１】
この発明は、特に、車両等、走行によって放送サービスエリアが変化する移動体に用いて好適な、デジタル放送受信装置に関するものである。
【背景技術】
【０００２】
例えば、車載用のデジタル放送受信装置は、走行により放送サービスエリアを移動すると、それまで視聴していた送信所からの電波が受信できなくなり、新たな放送サービスエリアの送信所の物理チャンネルを選局し直す必要がある。
このとき、車載用のデジタル放送受信装置は、視聴者に現在視聴中の番組と同じ番組を継続して視聴させるため、視聴していた番組を放送している放送局の新たな中継局（送信所）、もしくはそれまでに視聴していた番組の放送局と同じ系列の放送局を自動選局するための系列局サーチを行う。
【０００３】
この系列局サーチを短時間で行うために、従来、予め各放送局の放送サービスエリアに関する情報を位置情報と関連付けて保持しておき、ナビゲーションに用いられるＧＰＳ（Global Positioning System）等の位置測位システムを利用して現在地で受信可能な中継局を特定し、迅速に受信可能局を選局する方法が知られている。
しかしながら、ナビゲーション機能を持たないデジタル放送受信装置では、この目的のためにのみＧＰＳ機能を搭載すればコストアップになるため、この方法は適用することがためらわれる。
【０００４】
このため、従来、現在選局中の放送のＢＥＲ（Bit Error Rate）が基準値を満たさなくなった場合、チャンネルテーブルに保持される、選局中の電波に含まれる地域識別番号に対応する地域、およびこの地域における選局中の放送局の物理チャンネルを読み出し、読み出されたいずれかの物理チャンネルにより選局を行い、コストを抑制したうえで受信位置が変化した場合の継続視聴のための選局にかかる処理時間を短縮した地上波デジタル放送受信装置が提案されている（例えば、特許文献１参照）。
【０００５】
一方、２系統の受信装置を備え、一方の受信装置で番組を視聴している最中に、他方の受信装置で同じ系列局をサーチしておき、放送サービスエリアを移動して受信状態が悪化したら他方の受信装置に切り替えることで、継続して同じ系列局の放送を視聴する方法も知られている。例えば、各送信所の情報をデータベースに保持しておくとともに、２系統の受信装置を備え、一方の受信装置で番組視聴中に受信状態が悪化したら、他方の受信装置で隣接する送信所の物理チャンネル選局し、最も受信状態のよい送信所のエリアに移動したと判定し、その送信所の物理チャンネルを選局する方法が提案されている（例えば、特許文献２参照）。
【０００６】
【特許文献１】特開２００７−２３５４３４号公報
【特許文献２】特開２００８−５２３１号公報
【発明の開示】
【発明が解決しようとする課題】
【０００７】
上記した特許文献１に開示された技術によれば、ＧＰＳを不要とするためコストが抑制され、かつ、受信位置が変化した場合にも上記により選局した電波の受信品質が基準を満たしていれば視聴者は当初選局されていた放送局の系列局の放送を継続して視聴できる。
しかしながら、車両の移動等により受信位置が変化して受信環境が悪化した場合、視聴中の番組受信を一旦停止し、チャンネルテーブルに保持された系列局をサーチすることによって放送地域を推定し、推定された地域の物理チャンネルで選局を行い、基準値以上の受信品質を確保したところで一旦受信停止した放送番組を継続再生する、それぞれの動作が唯１個の受信装置によって逐次制御されるため、番組視聴を継続するための選局にかかる処理時間は依然として短縮されない。
【０００８】
また、特許文献２に開示された技術によれば、２系統の受信装置を備え、一方を受信用に、他方を系列局サーチに用いることは出来ても、２系統の受信装置ともに番組視聴に使用し、例えば、ＲＥＳ（リアエンターテイメントシステム）のように、前席モニタと後席モニタで別々の番組を視聴するシステムに適用する場合には、この方法は使用できない。
【０００９】
この発明は上記した課題を解決するためになされたものであり、ＧＰＳを不要とし、放送の視聴を継続するための選局にかかる処理時間の短縮をはかるともに、２系統の受信装置で別々の番組を視聴するシステムにも適用可能な、デジタル放送受信装置を提供することを目的とする。
【課題を解決するための手段】
【００１０】
上記した課題を解決するためにこの発明のデジタル放送受信装置は、それぞれ独立してデジタル放送を受信して復調し、トランスポートストリームを出力する第１の受信手段および第２の受信手段と、放送データが予め保持されている記憶手段と、第１の受信手段で受信しているデジタル放送の受信状態が悪化した場合、第２の受信手段で受信しているデジタル放送の受信状態が良好であれば、第２の受信手段が出力する前記トランスポートストリームの情報から現在地に関する情報を抽出し、抽出された現在地に関する情報に基づき記憶手段を参照して、第１の受信手段で受信可能な同じ系列局のトランスポートストリームの物理チャンネル情報を取得し、取得した物理チャンネル情報から系列局サーチを行う制御手段と、を備えたものである。
【発明の効果】
【００１１】
この発明によれば、ＧＰＳ等の専用の現在地検出手段を不要とし、放送の視聴を継続するための選局にかかる処理時間の短縮をはかるともに、２系統の受信装置で別々の番組を視聴するシステムにも適用可能な、デジタル放送受信装置を提供することができる。
【発明を実施するための最良の形態】
【００１２】
実施の形態１．
図１は、この発明の実施の形態１に係るデジタル放送受信装置の全体構成を示すブロック図である。
図１に示されるように、この発明の実施の形態１に係るデジタル放送受信装置は、２系統の受信再生部Ａ、Ｂと、制御部２１と、記憶部２２と、により構成される。
【００１３】
受信再生部Ａは、アンテナ１と、チューナ２と、ＯＦＤＭ（Orthogonal Frequency Division Multiplexing）復調部３と、デスクランブラ４と、デマルチプレクサ５と、オーディオデコーダ６と、ビデオデコーダ７と、音声出力部８と、映像出力部９と、前席モニタ１０と、により構成される。
【００１４】
上記構成において、デジタル放送の電波は、受信再生部Ａのアンテナ１で受信されチューナ２に入力される。チューナ２は、選局対象のチャンネルの周波数成分を抽出してＯＦＤＭ復調部３に出力し、ＯＦＤＭ復調部３は、その周波数成分をデジタル信号に復調し、ＴＳ（Transport Stream）としてデスクランブラ４に出力する。
ここで、ＴＳは、スクランブルのかかったパケットと、スクランブルのかかっていないパケットから構成されており、スクランブルのかかったパケットは、デスクランブラ４でスクランブルが解かれる。デスクランブラ４でスクランブルが解かれたＴＳは、デマルチプレクサ５に入力される。
【００１５】
デマルチプレクサ５は、スクランブルが解かれたＴＳを、オーディオストリーム、ビデオストリーム、ＳＩ（Service Information）他に分離し、それぞれ、オーディオデコーダ６、ビデオデコーダ７、制御部２１に出力する。
オーディオストリームはオーディオデコーダ６でデコードされ、音声出力部８を介して音声出力として前席モニタ１０に出力される。ビデオストリームは、ビデオデコーダ７でデコードされ、映像出力部９を介して映像出力として前席モニタ１０に出力される。なお、ＳＩは、制御部２１に入力される。
【００１６】
一方、受信再生部Ｂは、アンテナ１１と、チューナ１２と、ＯＦＤＭ復調部１３と、デスクランブラ１４と、デマルチプレクサ１５と、オーディオデコーダ１６と、ビデオデコーダ１７と、音声出力部１８と、映像出力部１９と、後席モニタ２０と、により構成される。
【００１７】
上記構成において、デジタル放送の電波は、アンテナ１１で受信されチューナ１２に入力される。チューナ１２は、選局対象のチャンネルの周波数成分を抽出してＯＦＤＭ復調部１３に出力し、ＯＦＤＭ復調部１３は、その周波数成分をデジタル信号に復調し、ＴＳとしてデスクランブラ１４に出力する。
上記したように、ＴＳは、スクランブルのかかったパケットと、スクランブルのかかっていないパケットから構成されており、スクランブルのかかったパケットは、デスクランブラ１４でスクランブルが解かれる。デスクランブラ１４でスクランブルが解かれたＴＳは、デマルチプレクサ１５に入力される。
【００１８】
デマルチプレクサ１５は、スクランブルが解かれたＴＳを、オーディオストリーム、ビデオストリーム、ＳＩ他に分離し、それぞれ、オーディオデコーダ１６、ビデオデコーダ１７、制御部２１に出力する。
オーディオストリームはオーディオデコーダ１６でデコードされ、音声出力部１８を介して音声出力として後席モニタ２０に出力される。ビデオストリームは、ビデオデコーダ１７でデコードされ、映像出力部１９を介して映像出力として後席モニタ２０に出力される。なお、ＳＩは、制御部２１に入力される。
【００１９】
制御部２１は、内蔵するか、もしくは記憶部２２に記憶されるプログラムに基づき、受信再生部Ａ、Ｂが有する各構成ブロックのシーケンス制御を行うとともに、各構成ブロック間のデータや制御信号の中継を行う。
ここでは、制御部２１は、特に、受信再生部Ａで系列局サーチが行われた場合、受信再生部Ｂが出力するＴＳの情報に基づき同じ系列局のＴＳの物理チャンネルを取得し、取得した物理チャンネルから選局切り替えを行う。より具体的には、受信再生部Ａで系列局サーチが行われた場合、受信再生部Ｂが出力するＴＳの地域情報から現在地における県域を推定し、記憶部２２を参照して同じ系列局のＴＳで推定された県域を対象地域とするＴＳを選択し、対応する物理チャンネルから選局切り替えを行う。なお、このとき参照される記憶部２２には、放送局の県域単位での放送対象エリアの情報が保持される。
【００２０】
このため、２系統の受信再生部Ａ、Ｂは、「それぞれが独立してデジタル放送を受信して復調し、トランスポートストリームを出力して復号再生する第１、第２の受信手段」として機能し、制御部２１は、第１の受信手段で受信しているデジタル放送の受信状態が悪化した場合、第２の受信手段で受信しているデジタル放送の受信状態が良好であれば、第２の受信手段が出力するトランスポートストリームの情報から現在地に関する情報を抽出し、抽出された現在地に関する情報に基づき記憶手段を参照して、第１の受信手段で受信可能な同じ系列局のトランスポートストリームの物理チャンネル情報を取得し、取得した物理チャンネル情報から系列局サーチを行う制御手段として機能し、記憶部２２は、放送局の県域単位での放送対象エリアの情報を含む放送データが予め保持された記憶手段として機能する。いずれも詳細は後述する。
【００２１】
図２は、図１に示す制御部２１が系列局サーチに関連して実行するプログラムの構造を機能展開して示したブロック図である。
図２に示されるように、制御部が系列局サーチに関連して実行するプログラムは、受信再生部Ａ（Ｂ）毎に、ＳＩ入力部３１（４１）と、受信可否判定部３２（４２）と、ＴＳ識別判定部３３（４３）と、系列識別判定部３５（４５）と、地域識別判定部３４（４４）と、同一地域内／同一系列識別ＴＳ判定部３６（４６）と、選局指示部３７（４７）と、を含む。
【００２２】
図２において、受信再生部Ａ（Ｂ）のデマルチプレクサ５（１５）の出力であるＴＳは、ＳＩ入力部３１（４１）に入力され、各部に分配される。
受信可否判定部３２（４２）は、ＴＳに含まれるべき所定のデータが見つかれば受信可と判定し、一定時間内に所定のデータが見つからなければ受信不可と判定する機能を有する。受信可否判定部３２（４２）は、例えば、ＰＡＴ（Program Association Table）があれば受信可と判定し、一定時間内にＰＡＴが見つからなければ受信不可と判定する。ＴＳ識別判定部３３（４３）は、ＴＳのＴＳ識別を判定する機能を有する。ＴＳ識別判定部３３（４３）は、例えば、ＰＡＴに含まれるＴＳ識別（TS-ID）を取得する。
【００２３】
地域識別判定部３４（４４）は、ＴＳの地域識別を判定する機能を有する。地域識別判定部３４（４４）は、例えば、ＳＤＴ（Service Description Table）に含まれるサービスＩＤ内の地域識別値を参照し、もしくはＴＳ識別判定部３３（４３）で取得したＴＳ識別と記憶部２２に保持されている各放送局の情報から判定する。
系列識別判定部３５（４５）は、ＴＳの系列識別を判定する機能を有する。系列識別判定部３５（４５）は、例えば、ＢＩＴ（Broadcaster Information table）に含まれている拡張ブロードキャスタ記述子内のアフィリエーションＩＤを取得し、もしくはＴＳ識別判定部３３（４３）で取得したＴＳ識別と、記憶部２２に保持されている各放送局の情報とから判定する。
【００２４】
同一地域内／同一系列識別ＴＳ判定部３６（４６）は、受信再生部Ｂ（Ａ）の地域識別判定部４４（３４）で判定した地域識別と同一の地域を放送エリアとするＴＳのうち、系列識別判定部３５（４５）で判定した受信再生部Ａ（Ｂ）のＴＳの系列識別と同一の系列識別のＴＳを記憶部２２に保持している各方送局の情報から抽出する機能を有する。
選局指示部３７（４７）は、同一地域内／同一系列識別ＴＳ判定部３６（４６）で判定されたＴＳのひとつ、または複数のチャンネルを順次選局するようにチューナ２（１２）を制御する機能を有する。
【００２５】
図３に、記憶部２２に保持されている各放送局の情報（放送データ）の一例が示されている。図３において、例えば、地域識別「２２」は、青森県を表しており、青森県を放送エリアとする放送局（ＴＳ名）は、ＮＨＫ総合・青森を含む５個ある。例えば、ＮＨＫ総合・青森の系列識別は「０」であり、「１６」、「２０」、「２３」の３つの物理チャンネル（ＵＨＦチャンネル）で放送していることを表している。
なお、地域識別「２０」は岩手県、「１８」は秋田県を示し、それぞれの県域を放送サービスエリアとする放送局（ＴＳ）は複数あり、かつ、それぞれのＴＳに複数の物理チャンネルが割り当てられていることを示している。
【００２６】
図４、図５は、この発明の実施の形態１に係るデジタル放送受信装置の制御部２１による系列局サーヂ動作を示すフローチャートである。
以下、図４、図５のフローチャートを参照しながら、図１から図３に示したこの発明の実施の形態１に係るデジタル放送受信装置の動作について詳細に説明するが、ここでは受信再生部Ａと受信再生部Ｂとにより別々の番組を視聴しており、例えば、前席モニタ１０で「ＲＡＢ青森放送」、後席モニタ２０で「ＩＢＣテレビ」を視聴しているときに、前席で系列局サーチを開始した場合の動作を例示して説明する。
【００２７】
制御部２１は、移動に伴い前席モニタ１０で視聴中の放送番組の電波の受信状態が基準値より低下して受信環境が悪化した場合、またはユーザ操作により系列局サーチが指示されことを契機に、以下に説明する系列局サーチ処理を起動する。
このとき、制御部２１は、まず、ＴＳ識別判定部３３が、前席モニタ１０で視聴中のＴＳの系列識別を判定する（図４のステップＳＴ４０１）。ここに示す例では、受信再生部Ａで視聴中のＴＳの系列識別はＲＡＢ青森放送の「２」になる。
【００２８】
次に、制御部２１は、後席で放送視聴中か否かを判定する（ステップＳＴ４０２）。ここで視聴中であると判定されれば（ステップＳＴ４０２“ＹＥＳ”）、受信再生部Ｂに制御が移り、受信再生部ＢのＴＳ識別判定部４３は後席で視聴中のＴＳのＴＳ識別を判定する（ステップＳＴ４０３）。ＴＳ識別判定部４３は、ＰＡＴに含まれるＴＳ識別を取得することにより判定が可能であり、この例によれば、後席モニタ１０で視聴中のＴＳのＴＳ識別はＩＢＣテレビの「０ｘ７ＥＢ２」になる。
【００２９】
続いて地域識別判定部４４は、後席で視聴中のＴＳの地域識別を判定し、その結果を制御部２１に引き渡す（ステップＳＴ４０４）。地域識別判定部４４は、ＳＤＴに含まれるサービスＩＤ内の地域識別値を取得するか、もしくはＴＳ識別判定部４３が取得したＴＳ識別と記憶部２２に保持されている各放送局の情報とから判定することは上記したとおりであり、この例によれば、後席モニタ２０で視聴中のＴＳの地域識別例はＩＢＣテレビの「２０」になる。
【００３０】
次に、制御部２１は、地域識別判定部４４による判定結果を、受信再生部Ａの同一地域内／同一系列識別ＴＳ判定部３６に引き渡す。これをうけた同一地域内／同一系列識別ＴＳ判定部３６は、当該地域を放送するエリアとするＴＳのうち、前席で視聴中のＴＳの系列識別と同一の系列識別のＴＳを判定する（ステップＳＴ４０５）。
この例によれば、受信再生部Ａの同一地域内／同一系列識別ＴＳ判定部３６は、系列識別「２」のテレビ岩手を抽出して選局指示部３７を制御する。
【００３１】
同一地域内／同一系列識別ＴＳ判定部３６は、同一の系列識別のＴＳがあると判定されれば（ステップＳＴ４０６“ＹＥＳ”）、選局指示部３７を制御して当該ＴＳのチャンネルのうちいずれかひとつの物理チャンネルを順次選局する（ステップＳＴ４０７）。
この例によれば、選局指示部３７は、チューナ２を制御することよりテレビ岩手の「１７」、「１８」、「２７」、「２９」、「３２」の物理チャンネルを、いずれかが受信できるまで順次選局切り替えを行う。
【００３２】
ここで、受信可否判定部３２は、選局指示部３７による選局切り替えの都度、該当の物理チャンネルで放送が受信できたか否かを判定する（ステップＳＴ４０８）。受信可否判定部３２は、ＳＩ入力部３１に入力され各部に分配されるＴＳに所定のデータ（ＰＡＴ）が含まれていれば受信可と判定し、一定時間内に所定のデータが見つからなければ受信不可と判定することは上記したとおりである。
受信可否判定部３２により受信可と判定されると（ステップＳＴ４０８“ＹＥＳ”）、系列識別判定部３５は、受信したＴＳの系列識別を判定する（ステップＳＴ４０９）。ここで、その系列識別が系列局サーチ開始前と同一の系列識別であると判定されれば（ステップＳＴ４１０“ＹＥＳ”）、同一地域内／同一系列識別ＴＳ判定部３６を介して制御される選局指示部３７は、そのままの状態を維持して系列局サーチを完了する。
【００３３】
一方、ステップＳＴ４１０で同一の系列識別でないと判定され場合（ステップＳＴ４１０“ＮＯ”）、もしくは、ステップＳＴ４０８で受信不可と判定された場合（ステップＳＴ４０８“ＮＯ”）、選局指示部３７は、選局対象のＴＳの全チャンネルを選局済か否かを判定し（ステップＳＴ４１１）、選局済でなければ（ステップＳＴ４１１“ＮＯ”）、ステップＳＴ４０７の処理に戻り、上記した選局動作を繰り返す。
【００３４】
なお、ステップＳＴ４１１で全ＴＳの全ての物理チャンネル選局済と判定された場合（ステップＳＴ４１１“ＹＥＳ”）、ステップＳＴ４０６で同一の系列識別のＴＳがないと判定された場合、もしくはステップＳＴ４０２で後席が番組視聴中でないと判定された場合（ステップＳＴ４０２“ＮＯ”）、同一地域内／同一系列識別ＴＳ判定部３６は、ステップＳＴ４０５で判定済みのＴＳを除く任意のＴＳのうち、前席で視聴中のＴＳの系列識別と同一の系列識別のＴＳを判定して選局指示部３７を制御する（ステップＳＴ４１２）。
この例によれば、ＡＢＳ秋田放送や、図３に示されていない系列識別「２」のＴＳが選択され、選局指示部３７を介してチューナ２の選局切り替えが実行される。
【００３５】
次に、図５のフローチャートにおいて、系列識別判定部３５で、同一の系列識別のＴＳがあると判定されれば（ステップＳＴ４１３“ＹＥＳ”）、同一地域内／同一系列識別ＴＳ判定部３６は、選局指示部３７を制御し、選局指示部３７は、当該ＴＳのチャンネルのうちいずれかひとつの物理チャンネルを順に選局する（ステップＳＴ４１４）。
上記した選局操作の都度、受信可否判定部３２は放送を受信できたか否かを判定し（ステップＳＴ４１５）、受信可と判定された場合（ステップＳＴ４１５“ＹＥＳ”）、系列識別判定部３５が、受信したＴＳの系列識別を判定する（ステップＳＴ４１６）。ここで、その系列識別が、系列局サーチ開始前と同一の系列識別であると判定された場合（ステップＳＴ４１７“ＹＥＳ”）、同一地域内／同一系列識別ＴＳ判定部３６により制御される選局指示部３７は、そのままの状態を維持して系列局サーチを完了する。
【００３６】
一方、ステップＳＴ４１７で同一の系列識別でないと判定された場合（ステップＳＴ４１７“ＮＯ”）、もしくは、ステップＳＴ４１５で受信不可と判定された場合（ステップＳＴ４１５“ＮＯ”）、選局指示部３７は、選局対象のＴＳの全チャンネルを選局済か否かを判定し（ステップＳＴ４１８）、選局済でなければ（ステップＳＴ４１８“ＮＯ”）、ステップＳＴ４１４の処理に戻って選局動作を繰り返す。
なお、ステップＳＴ４１８で全ＴＳの全ての物理チャンネル選局済と判定された場合（ステップＳＴ４１８“ＹＥＳ”）、または、ステップＳＴ４１３で同一の系列識別のＴＳが無いと判定された場合（ステップＳＴ４１３“ＮＯ”）、制御部２１による制御の下、前席モニタ１０に受信可能なＴＳが無いことを表示して系列局サーチを完了する。
【００３７】
上記したように、この発明の実施の形態１に係るデジタル放送受信装置は、例えば、図１において、それぞれ独立してデジタル放送を受信して復調し、ＴＳを出力する第１の受信手段（受信再生部Ａ）と、第２の受信手段（受信再生部Ｂ）と、第１の受信手段（受信再生部Ａ）で系列局サーチが行われた場合、第２の受信手段（受信再生部Ｂ）が出力するＴＳの情報に基づき同じ系列局のＴＳの物理チャンネルを取得し、取得した物理チャンネルから選局切り替えを行う制御手段（制御部２１）と、を備えたものである。
【００３８】
具体的に、この発明の実施の形態１に係るデジタル放送受信装置は、記憶手段（記憶部２２）に、放送局の県域単位での放送対象エリアの情報を保持する放送データを保持しておき、制御手段（制御部２１）が、例えば、図４のフローチャートに示されるように、第１の受信手段（受信再生部Ａ）で系列局サーチが行われた場合、第２の受信手段（受信再生部Ｂ）が出力するＴＳの地域情報から現在地における県域を推定し、記憶手段（記憶部２２）を参照し、同じ系列局のＴＳで推定された県域を対象地域とするＴＳを選択し、対応する物理チャンネルから選局切り替えを行う（ステップＳＴ４０１〜ＳＴ４１２）。また、制御手段（制御部２１）が、例えば、図５のフローチャートにおいて、同じ系列局のＴＳの物理チャンネルが見つからなかった場合、サーチ済みの同じ系列のＴＳを除く任意のＴＳのうち、第２の受信手段（受信再生部Ｂ）が出力するＴＳと同じ系列のＴＳの物理チャンネルから選局切り替えを行うものである（ステップＳＴ４１３〜ＳＴ４１８）。
【００３９】
上記したこの発明の実施の形態１に係るデジタル放送受信装置によれば、２系統以上の受信再生部Ａ、Ｂを備え、それぞれで別々の放送を視聴するデジタル放送受信装置において、放送サービスエリアを移動して受信環境が悪化した場合、もしくはユーザ操作により系列局サーチが指示された場合に、ナビゲーション装置やＧＰＳを持つことなく、系列局サーチにかかる時間を短縮することができる。
具体的には、各放送局の県域単位の放送対象エリアの情報を記憶部２２に予め保持しておき、制御部２１は、例えば、受信再生部Ａで系列局サーチを行う場合、受信再生部Ｂで視聴中の放送局の放送対象エリアと同じエリアを放送対象エリアとする系列局から同じ系列局のサーチを行うことにより、視聴を継続するための選局にかかる処理時間の短縮をはかるともに、受信再生部Ａ、Ｂで、別々の番組を視聴するシステムにも適用可能なデジタル放送受信装置を提供することができる。また、受信再生部Ｂが出力するＴＳの地域情報から現在地における県域が推定できるため、ＧＰＳ等の専用の現在地検出手段が不要となり、コストを抑制できる。
【００４０】
実施の形態２．
上記したこの発明の実施の形態１に係るデジタル放送受信装置では、それぞれが独立に番組の受信再生を行っている受信再生部Ａ、Ｂを備え、同時並行で系列局サーチが実行できない状況において、一方の受信再生部Ａ（Ｂ）で系列局サーチが開始されたときに他方の受信再生部Ｂ（Ａ）で視聴しているＴＳの地域情報から現在地の県域を推定し、記憶部２２を参照して、同一系列のＴＳで推定された県域を対象地域とするＴＳを選択し、対応する物理チャネルから系列局をサーチする構成とした。
このため、例えば、図３に示されるように、選択されたＴＳに対応する物理チャンネルは比較的多数あり、この中から受信可能であって、かつ、系列局サーチ開始前と同じ系列識別の物理チャンネルを特定するまでには一定の時間を要する。したがって、同じ状況において、記憶部２２に、送信所毎に各ＴＳの物理チャンネル情報を予め保持しておくことで、他方の受信再生部Ｂ（Ａ）で視聴しているＴＳの物理チャンネルから受信している送信所を推定し、記憶部２２を参照して同一系列のＴＳで推定された物理チャネルから系列局をサーチする構成とすれば、選局切り替えの対象となる物理チャンネル数によっては選局処理にかかる時間が一層短縮されるはずである。
【００４１】
この場合、デジタル放送受信装置としての全体構成は図１に示す実施の形態１と同じとするが、制御部２１が実行するプログラムの構造、およびその処理手順、ならびに上記したように記憶部２２に保持されるデータが異なる。これを実施の形態２として以下に詳細に説明する。
【００４２】
図６は、この発明の実施の形態２に係るデジタル放送受信装置の制御部が実行するプログラムの構造を機能展開して示したブロック図である。
図６に示されるように、図２に示した地域識別判定部３４および４４が、送信所識別判定部３８および４８に、同一地域内／同一系列識別ＴＳ判定部３６および４６が同一送信所／同一系列識別ＴＳ判定部３９および４９に変更されたことを除けば、この発明の実施の形態２に係るデジタル放送受信装置の制御部２１が実行するプログラムの構造は、図２に示した実施の形態１と同様である。
【００４３】
図６において、送信所識別判定部３８および４８は、受信したＴＳの物理チャンネルと記憶部２２に保持された情報から、当該ＴＳを当該チャンネルで送信している少なくとも一つの送信所の送信所識別を判定する機能を有する。
【００４４】
受信再生部Ａの同一送信所／同一系列識別ＴＳ判定部３９は、送信所識別判定部４８で判定した受信再生部Ｂの送信所識別と同一の送信所識別のＴＳのうち、系列識別判定部３５で判定した受信再生部ＡのＴＳの系列識別と同一の系列識別のＴＳを記憶部２２に保持している各放送局の情報から抽出する機能を有する。
このとき、選局指示部３７は、同一送信所／同一系列識別ＴＳ判定部３９で判定された少なくとも一つのＴＳ、または複数の物理チャンネルを順次選局するようにチューナ２を制御する。
【００４５】
一方、受信再生部Ｂの同一送信所／同一系列識別ＴＳ判定部４９は、送信所識別判定部３８で判定した受信差再生部Ａの送信所識別と同一の送信所識別のＴＳのうち、系列識別判定部４５で判定した受信再生部ＢのＴＳの系列識別と同一の系列識別のＴＳを記憶部２２に保持している各放送局の情報から抽出する機能を有する。
このとき、選局指示部４７は、同一送信所／同一系列識別ＴＳ判定部４９で判定された少なくとも一つのＴＳ、または複数の物理チャンネルを順次選局するようにチューナ１２を制御する。
【００４６】
図７に、記憶部２２に保持されている各放送局の情報（放送データ）の一例が示されている。図７において、例えば、ＮＨＫ総合・青森の系列識別は「０」であり、送信所識別「６０８００７」の送信所から「１６」チャンネルで、送信所識別「６０８０２５」の送信所から「２３」チャンネルで、送信所識別「６０８５３０」の送信所から「２０」チャンネルでそれぞれ放送していることを表している。
なお、ＮＨＫ教育・青森、ＲＡＢ青森放送、ＡＴＶ青森テレビ、青森朝日放送、ならびに岩手県の各ＴＳ名においても同様に、相当の系列識別、送信所識別、ＵＨＦチャンネル（物理チャンネル）情報がそれぞれ割り付けられ記憶されていることを示している。
【００４７】
図８、図９は、この発明の実施の形態２に係るデジタル放送受信装置の制御部２１による系列局サーチ動作を示すフローチャートである。
以下、図８、図９のフローチャートを参照しながら、図６、図７に示したこの発明の実施の形態２に係るデジタル放送受信装置の動作について詳細に説明するが、ここでは受信再生部Ａと受信再生部Ｂとにより別々の番組を視聴しており、例えば、受信再生部Ａ（前席モニタ１０）でＲＡＢ青森放送を２２チャンネルで、受信再生部Ｂ（後席モニタ２０）でＩＢＣテレビを１５チャンネルで視聴しているときに、前席で系列局サーチを開始した場合の動作を例示して説明する。
【００４８】
制御部２１は、移動に伴い前席モニタ１０で視聴中の放送番組の電波の受信環境が悪化した場合、またはユーザ操作により系列局サーチが指示されことを契機に、以下に説明する系列局サーチ処理を起動する。
制御部２１は、まず、受信再生部ＡのＴＳ識別判定部３３が、前席モニタ１０で視聴中のＴＳの系列識別を判定する（ステップＳＴ８０１）。この例では、系列識別は、ＲＡＢ青森放送の「２」になる。
【００４９】
次に、制御部２１は、受信再生部Ｂの後席モニタ２０で放送を視聴中か否かを判定し（ステップＳＴ８０２）、視聴中であれば（ステップＳＴ８０２“ＹＥＳ”）、ＴＳ識別判定部４３が、後席で視聴中のＴＳのＴＳ識別を判定する（ステップＳＴ８０３）。この例によれば、ＴＳ識別判定部４３で判定されるＴＳ識別は、ＩＢＣテレビの「０ｘ７ＥＢ２」になる。
続いて、送信所識別判定部４８に制御が移り、送信所識別判定部４８は、後席モニタ２０で視聴中のＴＳの物理チャンネルから送信所識別を判定する（ステップＳＴ８０４）。この例によれば、送信所識別判定部４８により判定される送信所識別はＩＢＣテレビの「１５」チャンネルであり、図７から明らかなように、「１５」チャンネルを放送している送信所識別は、「６０４０２２」、「６０４０２７」、「６０４０４０」、「６０４０６６」の４個あることがわかる。
【００５０】
次に、受信再生部Ａの同一送信所／同一系列識別ＴＳ判定部３９に制御が移り、同一送信所／同一系列識別ＴＳ判定部３９は、送信所識別判定部４８で判定された同一の送信所識別のＴＳのうち、前席モニタ１０で視聴中のＴＳの系列識別と同一の系列識別のＴＳチャンネルを判定する（ステップＳＴ８０５）。
この例によれば、図７から明らかなように、送信所識別「６０４０２２」のうち、前席モニタ１０で視聴中のＲＡＢ青森放送の系列識別「２」と同じ系列識別のＴＳはテレビ岩手になり、その物理チャンネルは「１７」になる。同様に、送信所識別「６０４０２７」に対応する物理チャンネルは「２７」、送信所識別「６０４０４０」に対応する物理チャンネルは「１７」、送信所識別「６０４０６６」に対応する物理チャンネルは「２７」になり、このため、同一送信所／同一系列識別ＴＳ判定部３９は、物理チャンネル「１７」と「２７」を抽出する。
【００５１】
上記により、同一送信所／同一系列識別ＴＳ判定部３９は、同一の系列識別のＴＳのチャンネル有りと判定するため（ステップＳＴ８０６“ＹＥＳ”）、選局指示部３７は、受信再生部Ａにおいてチューナ２を制御し、同一送信所／同一系列識別ＴＳ判定部３９により抽出された物理チャンネルにより順次選局切り替えを行う（ステップＳＴ８０７）。
この例によれば、選局指示部３７は、テレビ岩手の「１７」、「２７」チャンネルを、いずれかが受信できるまで順に選局する。
【００５２】
受信可否判定部３２は、選局指示部３７による選局切り替えの都度、該当の物理チャンネルで放送が受信できたか否かを判定する（ステップＳＴ８０８）。受信可否判定部３２は、ＳＩ入力部３１に入力され各部に分配されるＴＳに所定のデータ（ＰＡＴ）が含まれていれば受信可と判定し、一定時間内に所定のデータが見つからなければ受信不可と判定することは上記したとおりである。
受信可否判定部３２により放送が受信可と判定されると（ステップＳＴ８０８“ＹＥＳ”）、系列識別判定部３５が受信したＴＳの系列識別を判定する（ステップＳＴ８０９）。ここで、その系列識別が系列局サーチ開始前と同一の系列識別であれば（ステップＳＴ８１０“ＹＥＳ”）、同一送信所／同一系列識別ＴＳ判定部３９を介して制御される選局指示部３７は、そのままの状態を維持して系列局サーチを完了する。
【００５３】
一方、ステップＳＴ８１０で同一の系列識別でないと判定された場合（ステップＳＴ８１０“ＮＯ”）、もしくは、ステップＳＴ８０８で受信不可であると判定された場合（ステップＳＴ８０８“ＮＯ”）、選局指示部３７は、選局対象のＴＳの全チャンネルを選局済か否かを判定し（ステップＳＴ８１１）、選局済でなければ（ステップＳＴ８１１“ＮＯ”）、ステップＳＴ８０７の順次選局処理に戻り、選局動作を繰り返す。
【００５４】
なお、ステップＳＴ８１１で各ＴＳの全てのチャンネル選局済と判定された場合（ステップＳＴ８１１“ＹＥＳ”）、ステップＳＴ８０６で同一の系列識別のＴＳがないと判定された場合、もしくはステップＳＴ８０２で後席が番組視聴中でないと判定された場合（ステップＳＴ８０２“ＮＯ”）、同一送信所／同一系列識別ＴＳ判定部３９は、ステップＳＴ８０５で判定済みのＴＳを除く任意のＴＳのうち、前席で視聴中のＴＳの系列識別と同一の系列識別のＴＳを抽出して選局指示部３７を制御する（ステップＳＴ８１２）。
この例では、ＡＢＳ秋田放送や、図７に示されていない列識別「２」のＴＳが選択され、選局指示部３７を介してチューナ２の選局切り替えが実行される。
【００５５】
次に、図９のフローチャートのステップＳＴ８１３において、系列識別判定部３５で同一の系列識別のＴＳがあると判定されれば（図９のステップＳＴ８１３“ＹＥＳ”）、同一送信所／同一系列識別ＴＳ判定部３９は、選局指示部３７を制御し、選局指示部３７は、当該ＴＳのチャンネルのうちいずれかひとつの物理チャンネルを順に選局する（ステップＳＴ８１４）。
上記選局操作の都度、受信可否判定部３２は、放送を受信できたか否かを判定し（ステップＳＴ８１５）、受信できたら（ステップＳＴ８１５“ＹＥＳ”）、系列識別判定部３５が受信したＴＳの系列識別を判定する（ステップＳＴ８１６）。ここで、その系列識別が系列局サーチ開始前と同一の系列識別であれば（ステップＳＴ８１７“ＹＥＳ”）、同一送信所／同一系列識別ＴＳ判定部３９を介して制御される選局指示部３７は、そのままの状態を維持して系列局サーチを完了する。
【００５６】
一方、ステップＳＴ８１７で同一の系列識別でないと判定された場合（ステップＳＴ８１７“ＮＯ”）、もしくは、ステップＳＴ８１５で受信不可と判定された場合（ステップＳＴ８１５“ＮＯ”）、選局指示部３７は、選局対象のＴＳの全チャンネルを選局済か否かを判定し（ステップＳＴ８１８）、選局済でなければ（ステップＳＴ８１８“ＮＯ”）、ステップＳＴ８１４の処理に戻り、選局動作を繰り返す。
また、ステップＳＴ８１８で全チャンネル選局済と判定された場合（ステップＳＴ８１８“ＹＥＳ”）、または、上記したステップＳＴ８１３で同一の系列識別のＴＳが無いと判定された場合（ステップＳＴ８１３“ＮＯ”）、制御部２１は、前席モニタ１０に受信可能なＴＳが無いことを表示して系列局サーチを完了する。
【００５７】
上記したように、この発明の実施の形態２に係るデジタル放送受信装置は、送信所毎にＴＳの物理チャンネル番号を含む放送データが予め保持された記憶手段（記憶部２２）を備え、制御手段（制御部２１）は、例えば、図８に示されるように、第１の受信手段（受信再生部Ａ）で系列局サーチが行われた場合、第２の受信手段（受信再生部Ｂ）が出力するＴＳの物理チャンネル情報から受信している送信所を推定し、記憶手段（記憶部２２）を参照し、同じ系列局のＴＳで推定された送信所の物理チャンネルから選局切り替えを行うものである（ステップＳＴ８０１〜ＳＴ８１２）。
また、制御手段（制御部２１）は、例えば、図９に示されるように、同じ系列局のＴＳの物理チャンネルが見つからなかった場合、サーチ済みの同じ系列のＴＳを除く任意のＴＳのうち、第２の受信手段（受信再生部Ｂ）が出力するＴＳと同じ系列のＴＳの物理チャンネルから選局切り替えを行う（ステップＳＴ８１３〜ＳＴ８１８）。
【００５８】
上記したこの発明の実施の形態２に係るデジタル放送受信装置によれば、例えば、２系統の受信再生部Ａ、Ｂを備え、この受信再生部Ａ、Ｂで別々の番組を視聴している状況において、放送サービスエリアの移動により受信環境が悪化した場合、もしくはユーザ操作により系列局サーチが指示されたことを契機に実行される継続視聴のための系列局サーチを、ナビゲーション装置やＧＰＳを持たずに実現でき、かつ、そのために要する時間短縮が可能である。
【００５９】
具体的に、各放送局の送信所毎の物理チャンネル情報を予め記憶部２２に保持しておき、制御部２１は、例えば、受信再生部Ａで系列局サーチを行う場合、系列局のうち、受信再生部Ｂで視聴中の放送局の物理チャンネルの送信所と同じ送信所の物理チャンネルからサーチすることにより、放送の視聴を継続するための選局にかかる処理時間の短縮をはかるともに、２系統の受信再生部Ａ、Ｂで、別々の番組を視聴するシステムにも適用可能なデジタル放送受信装置を提供することができる。
また、この発明の実施の形態２に係るデジタル放送受信装置によれば、県域を推定して物理チャンネルの選局切り替えを行う実施の形態１に比較して、送信所を推定して物理チャンネルの選曲切り替えを行うことから絞り込まれる物理チャンネル数は激減し、このため選局処理にかかる時間が一層短縮できる。
【００６０】
なお、上記したこの発明の実施の形態２に係るデジタル放送受信装置によれば、視聴中のＴＳと同一の系列識別のＴＳを選局する場合について説明したが、同一のＴＳを送信所毎に異なる複数のチャンネルで放送している場合にその系列識別は同一であり、これらの物理チャンネルも選局対象になることはいうまでもない。
【００６１】
また、この発明の実施の形態１、２に係るデジタル放送受信装置によれば、いずれも受信再生部Ａで系列局サーチを行う場合を例示して説明したが、受信再生部Ｂで系列局サーチを行う場合も同様、受信再生部Ａで視聴中のＴＳの情報に基づき同じ系列局のＴＳの物理チャンネルを取得し、当該取得した物理チャンネルから選局切り替えを行うことで同じ効果が得られる。
更に、この発明の実施の形態１、２に係るデジタル放送受信装置によれば、第１と第２の２系統の受信再生部Ａ、Ｂを有するデジタル放送受信装置についてのみ説明したが、受信再生部Ｃを更に有する等、３系等以上の受信再生部がある場合、系列局サーチを行う系統以外の複数の系統で視聴しているＴＳの情報を利用すれば同様の効果が得られる。
【００６２】
なお、この発明の実施の形態１、２に係るデジタル放送受信装置において、図２、図６に示す制御部２１が有する機能は、全てをソフトウェアによって実現しても、あるいはその少なくとも一部をハードウェアで実現してもよい。
例えば、制御部２１が、第１の受信手段（受信再生部Ａ）で受信しているデジタル放送の受信状態が悪化した場合、第２の受信手段（受信再生部Ｂ）で受信しているデジタル放送の受信状態が良好であれば、第２の受信手段（受信再生部Ｂ）が出力するＴＳの情報から現在地に関する情報を抽出し、抽出された現在地に関する情報に基づき記憶手段（記憶部２２）を参照して第１の受信手段で受信可能な同じ系列局のＴＳの物理チャンネル情報を取得し、取得した物理チャンネル情報から系列局サーチを行うデータ処理は、１または複数のプログラムによりコンピュータ上で実現してもよく、また、その少なくとも一部をハードウェアで実現してもよい。
【図面の簡単な説明】
【００６３】
【図１】この発明の実施の形態１に係るデジタル放送受信装置の全体構成を示すブロック図である。
【図２】この発明の実施の形態１に係るデジタル放送受信装置の制御部が実行するプログラムの構造を機能展開して示したブロッック図である。
【図３】この発明の実施の形態１に係るデジタル放送受信装置の記憶部が有する放送データの一例を示した図である。
【図４】この発明の実施の形態１に係るデジタル放送受信装置の制御部による系列局サーチ動作を示すフローチャートである。
【図５】この発明の実施の形態１に係るデジタル放送受信装置の制御部による系列局サーチ動作を示すフローチャートである。
【図６】この発明の実施の形態２に係るデジタル放送受信装置の制御部が実行するプログラムの構造を機能展開して示したブロッック図である。
【図７】この発明の実施の形態２に係るデジタル放送受信装置の記憶部が有する放送データの一例を示した図である。
【図８】この発明の実施の形態２に係るデジタル放送受信装置の制御部による系列局サーチの動作を示すフローチャートである。
【図９】この発明の実施の形態２に係るデジタル放送受信装置の制御部による系列局サーチの動作を示すフローチャートである。
【符号の説明】
【００６４】
受信再生部Ａ（第１の受信手段）１  アンテナ、２  チューナ、３  ＯＦＤＭ復調部、４  デスクランブラ、５  デマルチプレクサ、６  オーディオデコーダ、７  ビデオデコーダ、８  音声出力部、９  映像出力部、１０  前席モニタ
受信再生部Ｂ（第２の受信手段）１１  アンテナ、１２  チューナ、１３  ＯＦＤＭ復調部、１４  デスクランブラ、１５  デマルチプレクサ、１６  オーディオデコーダ、１７  ビデオデコーダ、１８  音声出力部、１９  映像出力部、２０  前席モニタ
２１  制御部（制御手段）、３１，４１  ＳＩ入力部、３２，４２  受信可否判定部、３３，４３  ＴＳ識別判定部、３４，４４  地域識別判定部、３５，４５  系列識別判定部、３６，４６  同一地域内／同一系列識別ＴＳ判定部、３７，４７  選局指示部、３８，４８  送信所識別判定部、３９，４９  同一送信所／同一系列識別ＴＳ判定部、２２  記憶部（記憶手段）。
【図１】
2010154447.tif 000003
【図２】
2010154447.tif 000004
【図３】
2010154447.tif 000005
【図４】
2010154447.tif 000006
【図５】
2010154447.tif 000007
【図６】
2010154447.tif 000008
【図７】
2010154447.tif 000009
【図８】
2010154447.tif 000010
【図９】
2010154447.tif 000011